(57)【要約】【課題】視力の弱い人でも操作部材の回転操作を迅速に行うことができるレンズ鏡筒及び光学機器を提供する。【解決手段】鏡筒本体（２５）に光軸を中心として回転可能に取り付けられ、外周面にローレット（２）が設けられた操作部材（２１）を有するレンズ鏡筒（２０）において、ローレット（２）は、光軸方向に延びる山部（３，４）が円周方向に複数形成され、山部（３，４）には前記光軸に沿う方向の寸法が異なる少なくとも２種類の山部（３，４）が含まれ、第１山部（４）とそれに隣接する第１山部（４）との間に他の寸法の山部（３）が複数配置されている。【選択図】図１
2011017774.tif 000002
【特許請求の範囲】
【請求項１】
鏡筒本体に光軸を中心として回転可能に取り付けられ、外周面にローレットが設けられた操作部材を有するレンズ鏡筒において、
前記ローレットは、前記光軸方向に延びる山部が円周方向に複数形成され、前記山部には前記光軸に沿う方向の寸法が異なる少なくとも２種類の山部が含まれ、第１山部とそれに隣接する第１山部との間に他の寸法の山部が複数配置されていることを特徴とするレンズ鏡筒。
【請求項２】
前記第１山部とそれに隣接する第１山部との間に前記他の寸法の山部が４つ配置されていることを特徴とする請求項１記載のレンズ鏡筒。
【請求項３】
前記第１山部とそれに隣接する第１山部との間に前記他の寸法の山部が９つ配置されていることを特徴とする請求項１記載のレンズ鏡筒。
【請求項４】
９つの前記他の寸法の山部の中央に位置する山部の前記光軸に沿う方向の寸法とそれ以外の前記他の寸法の山部の前記光軸に沿う方向の寸法とは異なることを特徴とする請求項３記載のレンズ鏡筒。
【請求項５】
９つの前記他の寸法の山部の中央に位置する山部の端部の形状とそれ以外の前記他の寸法の山部の端部の形状とは異なることを特徴とする請求項３記載のレンズ鏡筒。
【請求項６】
前記第１山部の端部又は中間部に凸部が形成されていることを特徴とする請求項１〜５のいずれか１項記載のレンズ鏡筒。
【請求項７】
前記山部の少なくとも一部に点字を構成する複数の突起が設けられていることを特徴とする請求項１〜６のいずれか１項記載のレンズ鏡筒。
【請求項８】
請求項１〜７のいずれか１項記載のレンズ鏡筒を備えていることを特徴とする光学機器。
【発明の詳細な説明】
【技術分野】
【０００１】
この発明はレンズ鏡筒及び光学機器に関する。
【背景技術】
【０００２】
従来、マニュアルフォーカス操作環（距離リング）の１つ又は２つ以上の部位に、他の表面と異なる異形部を備え、異形部の回転方向位置により被写体までの撮影距離を表わすことを特徴とするレンズ鏡筒が知られている（下記特許公報参照）。
【先行技術文献】
【特許文献】
【０００３】
【特許文献１】特開平９−２８１３７６号公報
【発明の概要】
【発明が解決しようとする課題】
【０００４】
ところで、カメラによる撮影は視力のある人だけでなく視力の弱い人によっても行われている。
【０００５】
ピント合わせは距離リングを回して行われるが、無限端と至近端とはそれぞれ距離リングの回転端（距離リングを時計方向・反時計方向へ回転させたとき、それ以上回転できない位置）にあるため、視力の弱い人でも無限端と至近端とを容易に認識することができる。しかし、無限端と至近端との間で距離リングを回転させてピントを合わせを行うには、距離リングの外周面に設けられたローレットの山部を１つずつ数えながら距離リングを回さなければならない。したがって、視力の弱い人にとってピント合わせは大きな負担であった。
【０００６】
また、焦点距離合わせはズームリングを回して行われるが、ワイド端とテレ端とはそれぞれズームリングの回転端にあるため、視力の弱い人でもワイド端とテレ端とを容易に認識することができる。しかし、ワイド端とテレ端との間でズームリングを回転させてズーム操作を行なうには、ピント合わせと同様にローレットの山部を１つずつ数えながらズームリングを回さなければならず、視力の弱い人にとって焦点距離合わせは大きな負担であった。
【０００７】
この発明はこのような事情に鑑みてなされたもので、その課題は視力の弱い人でも操作部材の回転操作を迅速に行うことができるレンズ鏡筒及び光学機器を提供することである。
【課題を解決するための手段】
【０００８】
上記課題を解決するため請求項１記載の発明は、鏡筒本体に光軸を中心として回転可能に取り付けられ、外周面にローレットが設けられた操作部材を有するレンズ鏡筒において、前記ローレットは、前記光軸方向に延びる山部が円周方向に複数形成され、前記山部には前記光軸に沿う方向の寸法が異なる少なくとも２種類の山部が含まれ、第１山部とそれに隣接する第１山部との間に他の寸法の山部が複数配置されていることを特徴とするレンズ鏡筒である。
【０００９】
請求項２記載の発明は、請求項１記載のレンズ鏡筒において、前記第１山部とそれに隣接する第１山部との間に前記他の寸法の山部が４つ配置されていることを特徴とする。
【００１０】
請求項３記載の発明は、請求項１記載のレンズ鏡筒において、前記第１山部とそれに隣接する第１山部との間に前記他の寸法の山部が９つ配置されていることを特徴とする。
【００１１】
請求項４記載の発明は、請求項３記載のレンズ鏡筒において、９つの前記他の寸法の山部の中央に位置する山部の前記光軸に沿う方向の寸法とそれ以外の前記他の寸法の山部の前記光軸に沿う方向の寸法とは異なることを特徴とする。
【００１２】
請求項５記載の発明は、請求項３記載のレンズ鏡筒において、９つの前記他の寸法の山部の中央に位置する山部の端部の形状とそれ以外の前記他の寸法の山部の端部の形状とは異なることを特徴とする。
【００１３】
請求項６記載の発明は、請求項１〜５のいずれか１項記載のレンズ鏡筒において、前記第１山部の端部又は中間部に凸部が形成されていることを特徴とする。
【００１４】
請求項７記載の発明は、請求項１〜６のいずれか１項記載のレンズ鏡筒において、前記山部の少なくとも一部に点字を構成する複数の突起が設けられていることを特徴とする。
【００１５】
請求項８記載の発明は、請求項１〜７のいずれか１項記載のレンズ鏡筒を備えていることを特徴とする光学機器である。
【発明の効果】
【００１６】
この発明によれば視力の弱い人でも操作部材の回転操作を迅速に行うことができる。
【図面の簡単な説明】
【００１７】
【図１】図１（ａ）はこの発明の第１実施形態に係るカメラの側面図、図１（ｂ）は図１（ａ）の部分拡大図である。
【図２】図２はこの発明の第１実施形態に係るカメラの側面図である。
【図３】図３（ａ）はこの発明の第２実施形態に係るカメラの側面図、図３（ｂ）は図３（ａ）の部分拡大図である。
【図４】図４（ａ）はこの発明の第３実施形態に係るカメラの側面図，図４（ｂ）は図４（ａ）の部分拡大図である。
【図５】図５（ａ）はこの発明の第４実施形態に係るカメラの側面図、図５（ｂ）は図５（ａ）の部分拡大図である。
【図６】図６（ａ）はこの発明の第５実施形態に係るカメラの側面図、図６（ｂ）は図６（ａ）の部分拡大図である。
【図７】図７（ａ）はこの発明の第５実施形態の変形例に係るカメラの側面図、図７（ｂ）は図７（ａ）の部分拡大図である。
【図８】図８（ａ）はこの発明の第６実施形態に係るカメラの側面図、図８（ｂ）は図８（ａ）の部分拡大図である。
【発明を実施するための形態】
【００１８】
以下、この発明の実施の形態を図面に基づいて説明する。
【００１９】
図１（ａ）はこの発明の第１実施形態に係るカメラ１の側面図、図１（ｂ）は図１（ａ）の部分拡大図、図２はこの発明の第１実施形態に係るカメラ１の側面図である。
【００２０】
カメラ（光学機器）１は、カメラ本体１０と、カメラ本体１０に装着可能な交換レンズ鏡筒（レンズ鏡筒）２０とを備えている。
【００２１】
交換レンズ鏡筒２０の後端がカメラ本体１０に装着される。交換レンズ鏡筒２０には鏡筒本体２５に対して回転するズームリング（操作部材）２１が設けられている。
【００２２】
ズームリング２１は光軸方向（図１（ａ）の左右方向）へ移動することなく光軸回りに回転するように鏡筒本体２５に嵌合している。
【００２３】
ズームリング２１は焦点距離を変えるための環状の操作部材である。
【００２４】
ズームリング２１が回転操作されると、鏡筒本体２５の内部の複数の変倍用レンズ（図示せず）がそれぞれ光軸方向へ移動し、目的の焦点距離に応じた位置に配置される。
【００２５】
また、ズームリング２１の外周面には、手動操作の際の滑り止めのためのローレット２が円周方向に設けられている。ローレット２を構成する光軸方向に延びる山部が、ズームリング２１の外周面の円周方向に複数形成されている。その山部には長い山部（第１山部）４と短い山部（他の寸法の山部）３とが含まれる。長い山部４と短い山部３とは光軸に沿う方向の寸法が異なる。隣接する長い山部４間に複数の短い山部３が配置されている。図１では隣接する長い山部４間に４つの短い山部３が配置されている。
【００２６】
ズームリング２１をカメラ本体１０側から見て時計回りに限界まで（回転端まで）回転した状態（図１に示す状態）のときの焦点距離を２８ｍｍとする。
【００２７】
この状態からズームリング２１を反時計回りに山部３，４を合わせて８つ分だけ回して、図２に示すように焦点距離を５０ｍｍにする場合の操作を説明する。
【００２８】
まず、例えば交換レンズ鏡筒２０の横にある（ズームリング２１が回転端まで回転された状態にあるときにカメラ本体１０側から見て左側にある）長い山部４を基準として、時計回りに隣接する長い山部４を探す。
【００２９】
次に、この探した長い山部４を基準として時計回りに３つ目の短い山部３を探す。この３つ目の短い山部３が最初の長い山部４（交換レンズ鏡筒２０の真横にある長い山部４）から８つ目の山部になる。
【００３０】
その後、最初の長い山部４から８つ目の短い山部３が交換レンズ鏡筒２０の横に位置するようにズームリング２１を反時計方向へ回転させる（図２参照）。
【００３１】
その結果、ズームリング２１を反時計回りに山部３，４を合わせて８つ分回したことになり、交換レンズ鏡筒２０の焦点距離が５０ｍｍになる。この状態でシャッタボタン（図示せず）を押せば、撮影者は焦点距離５０ｍｍで撮影することができる。
【００３２】
この実施形態によれば、撮影者は基準となる長い山部４から８つ目の短い山部３まで山部を１つずつ探す手間がかからないので、視力の弱い人でもズームリング２１の回転操作を迅速に行うことができる。
【００３３】
ズームリング２１が予め焦点距離５０ｍｍの状態にセットされていても、移動時や輸送時にズームリング２１が周囲のものと接触して回転して焦点距離が変わってしまうおそれがある。しかし、ローレット２に山部３，４が上記のように形成されているので、撮影者は上記操作を行うことで容易に焦点距離５０ｍｍの状態とすることができる。
【００３４】
また、交換レンズ鏡筒２０には、ズームリング２１が制限端にあるときに全長が最も短くなり、制限端からズームリング２１の回転にしたがって次第に全長が長くなるものがある。このような交換レンズ鏡筒２０の場合には、移動時に交換レンズ２０を最も短くしておけば、撮影者はより迅速に所望の焦点距離（例えば５０ｍｍ）にすることができる。
【００３５】
長い山部４の一端は短い山部３の一端より前側（被写体側）に位置し、長い山部４の他端は短い山部３の他端より後側（カメラ本体１０側）に位置しているので、前側でも後側でも長い山部４と短い山部３とを識別することができる。
【００３６】
また、ローレット２が手動操作の際の滑り止めのための部材（ゴム等）に形成されている場合には、ローレット２を有する部材の取付方向を考慮しなくてよいので、組立作業性が向上する。
【００３７】
なお、上記実施形態ではズームリング２１の光軸に沿う方向の両端で長い山部４と短い山部３との識別を可能にしたが、少なくともズームリング２１の前側及び後側の一方で長い山部４と短い山部３とを識別することができればよい。
【００３８】
また、上記実施形態は操作部材としてズームリング２１を一例として説明したが、距離リングを用いた場合であっても同様の効果を奏することができる。
【００３９】
図３（ａ）はこの発明の第２実施形態に係るカメラ１の側面図、図３（ｂ）は図３（ａ）の部分拡大図であり、第１実施形態と共通する部材には同一符号を付してその説明を省略する。
【００４０】
この実施形態は、隣接する長い山部３５間に短い山部が９つ配置されたものであり、隣接する長い山部３５間の周方向の中央に位置する短い山部３４の光軸に沿う方向の寸法とそれ以外の短い山部３３の光軸に沿う方向の寸法とが異なる点で、第１実施形態と相違する。
【００４１】
隣接する長い山部（第１山部）３５のうちの一方の長い山部３５と短い山部（他の寸法の山部）３４との間には、短い山部３４より短い（光軸に沿う方向の寸法の小さい）４つの短い山部（他の寸法の山部）３３が配置されている。また、隣接する長い山部３５のうちの他方の長い山部３５と短い山部３４との間には、短い山部３４より短い４つの短い山部３３が配置されている。
【００４２】
この実施形態によればローレット３２の山部のカウント数が１０を超えるときであっても第１実施形態と同じ手順で目的の山部を探すことができ、効率よく焦点位置を調整することができる。
【００４３】
例えば、基準の山部から１３個目の山部を探す場合を説明する。なお、予めズームリング３１をカメラ１０側から見て時計回りに限界まで（回転端まで）回しておく。
【００４４】
まず、例えば交換レンズ鏡筒３０の横にある長い山部３５を基準として時計回りに次の長い山部３５を探す。
【００４５】
次に、この探した長い山部３５から時計回りに３つ目の短い山部３３を探す。この３つ目の短い山部３３が最初の長い山部３５（交換レンズ鏡筒３０の横にある長い山部３５）から１３個目の短い山部３３になる。
【００４６】
その後、最初の長い山部３５から１３個目の短い山部３３が交換レンズ鏡筒３０の横に位置するようにズームリング３１を反時計方向へ回転させる。
【００４７】
その結果、ズームリング３１を反時計回りに短い山部３３，３４、長い山部３５を合わせて１３個分回したことになる。
【００４８】
したがって、ズームリング３１の回転量が大きくなっても、撮影者が行う山部のカウント数が多くならないので、第１実施形態と同様に迅速な焦点位置合わせが可能になる。
【００４９】
次に、例えば、基準の山部から８つ目の山部を探す場合を説明する。
【００５０】
まず、例えば交換レンズ鏡筒３０の真横にある長い山部３５を基準として時計回りに次の短い山部３４を探す。
【００５１】
次に、この短い山部３４から時計回りに３つ目の短い山部３３を探す。この３つ目の短い山部３３が最初の長い山部３５から８つ目の山部になる。
【００５２】
その後、最初の長い山部３５から８つ目の短い山部３３が交換レンズ鏡筒２０の横に位置するようにズームリング３１を反時計方向へ回転させる。
【００５３】
その結果、ズームリング３１を反時計回りに短い山部３３，３４、長い山部３５を合わせて８つ分回したことになる。
【００５４】
図４（ａ）はこの発明の第３実施形態に係るカメラ１の側面図、図４（ｂ）は図４（ａ）の部分拡大図であり、第１実施形態と共通する部材には同一符号を付してその説明を省略する。
【００５５】
この実施形態は、隣接する長い山部（第１山部）４５間に短い山部（他の寸法の山部）４３，４４が９つ配置されたものであり、隣接する長い山部４５間の周方向の中央に位置する短い山部４４の端部の形状とそれ以外の短い山部４３の端部の形状とを異ならせた点で、第１実施形態と相違する。
【００５６】
短い山部４３は、隣接する長い山部４５のうちの一方の長い山部４５と短い山部４４との間に４つ配置されているとともに、隣接する長い山部４５のうちの他方の長い山部４５と短い山部４４との間に４つ配置されている。短い山部４４と短い山部４３との違いは、端部に斜面４３ａが形成されているか否かの違いである。
【００５７】
この実施形態によれば第１実施形態と同様の効果を奏するとともに、斜面４３ａがある短い山部が４つ続いた後に斜面４３ａがない短い山部が配置されているので、山部の長さが同じであっても指で触れたときの感触も異なるため、隣接する長い山部間の中央に位置する山部を容易に識別することができ、撮影者の負担を軽くすることができる。
【００５８】
図５（ａ）はこの発明の第４実施形態に係るカメラ１の側面図、図５（ｂ）は図５（ａ）の部分拡大図であり、第１実施形態と共通する部材には同一符号を付してその説明を省略する。
【００５９】
この実施形態は、隣接する長い山部（第１山部）５４間に短い山部（他の寸法の山部）５３が４つ配置されたものであり、しかも長い山部５４の端部に凸部５４ａが形成されている点で、第１実施形態と相違する。
【００６０】
交換レンズ５０のズームリング５１のローレット５２では隣接する長い山部５４間に４つの短い山部５３が配置されている。長い山部５４の後側の端部には凸部５４ａが形成されている。
【００６１】
この実施形態によれば第１実施形態と同様の効果を奏するとともに、凸部５４ａに指で触れたときの感触で長い山部５４と短い山部５３とを容易に識別することができるので、第１実施形態より迅速にズームリング５１を回転操作することができる。
【００６２】
図６（ａ）はこの発明の第５実施形態に係るカメラ１の側面図、図６（ｂ）は図６（ａ）の部分拡大図であり、第１実施形態と共通する部材には同一符号を付してその説明を省略する。
【００６３】
この実施形態は隣接する長い山部（第１山部）６４間に短い山部（他の寸法の山部）６３が４つ配置されたものであり、長い山部６４の中間部に凸部６４ａが形成されている点で、第１実施形態と相違する。
【００６４】
交換レンズ６０のズームリング６１のローレット６２では隣接する長い山部６４間に４つの短い山部６３が配置されている。この実施形態では長い山部６４の中間部に凸部６４ａが形成されている。
【００６５】
この実施形態によれば第１実施形態と同様の効果を奏するとともに、凸部６４ａに指で触れたときの感触で長い山部６４と短い山部６３とを容易に識別することができるので、第１実施形態より迅速にズームリング６１を回転操作することができる。
【００６６】
図７（ａ）はこの発明の第５実施形態の変形例に係るカメラ１の側面図、図７（ｂ）は図７（ａ）の部分拡大図であり、第１実施形態と共通する部材には同一符号を付してその説明を省略する。
【００６７】
この変形例は、交換レンズ７０のズームリング７１のローレット７２の山部の少なくとも一部に点字を構成する複数の点字突起（突起）７５が形成されている点で、第５実施形態と相違する。
【００６８】
点字突起７５は凸部７４ｂが形成されていない短い山部（他の寸法の山部）７３に形成されている。図７では点字突起７５によって「５０」という情報が表示されている。なお、凸部７４ｂは長い山部（第１山部）７４の中間部に位置する。
【００６９】
この実施形態によれば、第１実施形態と同様の効果を奏する。なお、点字突起７５の「５」と「０」とによって長い山部７４の位置が特定されるので、操作者がその特定された長い山部７４を例えば交換レンズ７０の上部まで回転させたとき、その位置を例えば焦点距離５０ｍｍの位置にすることも可能になる。
【００７０】
図８（ａ）はこの発明の第６実施形態に係るカメラ１の側面図、図８（ｂ）は図８（ａ）の部分拡大図であり、第１実施形態と共通する部材には同一符号を付してその説明を省略する。
【００７１】
この実施形態は、長い山部（第１山部）８４と短い山部（他の寸法の山部）８３とが光軸に沿う方向でそれぞれ複数に分割されている点で、第１実施形態と相違する。
【００７２】
この実施形態によれば、第１実施形態と同様の効果を奏する。
【００７３】
なお、上記実施形態では隣接する長い山部８４の端部間には山部が形成されていないが、長い山部８４より低い山部を形成してもよい、このようにすれば、ズームリング８１の回転操作時の滑り止め効果を期待することができる。
【符号の説明】
【００７４】
１：カメラ（光学機器）、２，３２，４２，５２，６２，７２，８２：ローレット、３，３３，３４，４３，４４，５３，６３，７３，８３：短い山部（他の寸法の山部）、４，３５，４５，５４，６４，７４，８４：長い山部（第１山部）、１０：カメラ本体、２０，３０，４０，５０，６０，７０，８０：交換レンズ鏡筒（レンズ鏡筒）、２１，３１，４１，５１，６１，７１，８１：ズームリング（操作部材）、２５：鏡筒本体、４３ａ：斜面、５４ａ，６４ａ，７４ｂ：凸部、７５：点字突起（突起）。
【図１】
2011017774.tif 000003
【図２】
2011017774.tif 000004
【図３】
2011017774.tif 000005
【図４】
2011017774.tif 000006
【図５】
2011017774.tif 000007
【図６】
2011017774.tif 000008
【図７】
2011017774.tif 000009
【図８】
2011017774.tif 000010